(57)【要約】      （修正有）【課題】印面体の管理、作業性・生産性、省スペース化の問題等の解決に好適な、繰り返し使用ができる新規の印面体及びスタンプ装置を提供する。【解決手段】印面体保持面に固定しうる粘着力を備え、且つ水洗し乾燥させたときに本来の粘着力状態に回復する性質を備えた透明の合成樹脂材料による一体成形された多数種の印面体の中から、選定された印面体１を任意に、透明硬質の合成樹脂材料製把持部材における印面体保持部の印面体保持面に対して、上記粘着力により付替え可能に固定しうるようにされ、印面体保持面には印面体の位置決め用目印が設けられたことを特徴とする。【選択図】図２
0003131310.tif 000002
【実用新案登録請求の範囲】
【請求項１】
印面体保持面に固定しうる粘着力を備え且つ水洗し乾燥させたときに本来の粘着力状態に回復する性質を備えた合成樹脂材料による一体成形により構成された形状体であることを特徴とする印面体。
【請求項２】
印面体保持面に固定しうる粘着力を備え且つ水洗し乾燥させたときに本来の粘着力状態に回復する性質を備えた合成樹脂材料による一体成形により構成された印面体を把持部材の印面体保持面に上記粘着力により付替え可能に固定しうるようにされたことを特徴とするスタンプ装置。
【請求項３】
印面体の多数種を有し、これら印面体のうちの一つ以上を把持部材の印面体保持面に固定しうるようにされたことを特徴とする請求項２記載のスタンプ装置。
【請求項４】
印面体保持部が同部に保持された印面体を透視しうる透明部とされたことを特徴とする請求項２又は３記載のスタンプ装置。
【請求項５】
印面体保持面には印面体の位置決め用目印が設けられたことを特徴とする請求項２〜４いずれか一つに記載のスタンプ装置。
【請求項６】
印面体が透明であることを特徴とする請求項２〜５いずれか一つに記載のスタンプ装置。
【請求項７】
印面体がその背面に印面を表わす表示部を備えたことを特徴とする請求項２〜５いずれか一つに記載のスタンプ装置。
【考案の詳細な説明】
【技術分野】
【０００１】  本考案は、把持部材の印面体保持面に対して印面体を押し付ける又は引き剥がすという単純な操作により、当該印面体保持面における所望の何処へでも印面体を任意に付替えて使用できるようにされた一体成形からなる印面体及び当該印面体を用いたスタンプ装置に関する。
【背景技術】
【０００２】  従前、この種のスタンプとして、印面体が把持部材の印面体保持面に対して、粘着剤層を設けたり、両面粘着シート（特許文献１参照）を用いたりすることで付替え不能に固定された形式のもの（以下、従来例１という。）や、挿込孔に挿込ピンを挿し止めて付替え可能に固定された形式のもの（以下、従来例２という。）は提供されている。【０００３】  しかしながら、従来例１は、印面体を自由に付替えて遊戯することが構造的にできなく、たとえば一枚の用紙に多数種の印影を捺印した遊戯をするなどの場合には、必然的に印影の種類分の数若しくはそれ以上の数のスタンプを用意し且つこれらを管理する必要があるという煩わしさがあるのみならず当該管理等の格納時には嵩張って広いスペースが必要になる等の問題があった。更には印面体に粘着剤層を設けたり、両面粘着シート（特許文献１参照）を設けたりする作業工程を必要としているから作業性が悪いという問題があるのみならず、粘着剤層や両面粘着シート（特許文献１参照）を設けるための材料の手配・管理が必要であることによるロスが回避・解消できないというような生産・提供上に問題があった。【０００４】  また、従来例２によれば、上記多数種の印影捺印遊戯が一個の把持部材で可能であるので上記従来例１のような問題点は解決できるが、この従来例２には、挿込孔と挿込ピンの挿し止め位置や向きを少しだけずらして固定位置や方向を微妙に調節する等のことができない問題及び繰り返し使用等により挿込孔と挿込ピンの挿し止め状態が所謂甘くなって外れ落ちたり、再固定できなくなったりするというような使用上の問題があった。
【特許文献１】特開２０００−６２３０６号公報
【０００５】  本考案者は、上記のような諸問題点を解消するには、印面体保持面に固定しうる粘着力を備え且つ水洗し乾燥させたときに本来の粘着力状態に回復する性質を備えた合成樹脂材料を以て印面体を一体成形する方法を採用することが有効であることを発見し、試行錯誤の結果、本考案を案出することに成功したものである。
【考案の開示】
【考案が解決しようとする課題】
【０００６】  本考案は、上記のような諸問題点の回避に有効な、繰り返し使用ができる新規の印面体及びスタンプ装置を提供することを目的とする。
【課題を解決するための手段】
【０００７】  上記目的を達成するために、請求項１に係る印面体は、印面体保持面に固定しうる粘着力を備え且つ水洗し乾燥させたときに本来の粘着力状態に回復する性質を備えた合成樹脂材料による一体成形により構成された形状体であることを特徴とする。【０００８】  したがって、この請求項１に係る印面体は、把持部材の代用品として使用しうる、たとえば大半の人が所有している表面が滑らかな合成樹脂製の筆記具や小容器等のようなものがあれば、当該印面体自身の粘着力によりこれを上記代用品の滑らかな表面に手指を使って押し付ける単純な操作を施して固定でき、また手指を使って引き剥がすという単純な操作により取去できる。すなわち、把持部材の代用品で使用できる。しかも上記滑らかな表面上であれば、所望の何処へでも印面体を手指操作により任意に付替えて使用（遊戯）できる。この場合、固定位置を少しだけずらして固定位置や方向を微妙に調節する等の必要が生じた場合には上記付替え操作を施すことにより容易にできる。さらには、上記付替え操作の繰り返し等により印面体の粘着力が弱くなった場合や、塵埃等の付着により粘着力が落ちてきた場合にはこれに水洗い・乾燥作業を施すことで簡単に本来の粘着力を発揮しうる状態に戻すことができるから、当該水洗い・乾燥作業を小まめに施しさえすれば粘着力による固定状態を長期に亘って繰り返し確保できる。【０００９】  また、請求項２に係るスタンプ装置は、印面体保持面に固定しうる粘着力を備え且つ水洗し乾燥させたときに本来の粘着力状態に回復する性質を備えた合成樹脂材料による一体成形により構成された印面体を把持部材の印面体保持面に上記粘着力により付替え可能に固定しうるようにされたことを特徴とする。【００１０】  したがって、請求項２に係るスタンプ装置は、その印面体を、請求項１に係る印面体と同じように、把持部材における印面体保持面に手指を使って押し付ける単純な操作を施した時には当該印面体自身の粘着力により把持部材に容易に固定でき、また手指を使って引き剥がすという単純な操作により容易に取去できる。すなわち、把持部材の印面体保持面における所望の何処へでも印面体を手指作業により任意に付替えて使用できる。しかも、たとえば固定位置や向きを少しだけずらして微妙に調節する等の必要が生じた場合には、上記付替え操作を施すことで容易に調節できる。さらには、上記把持部材の印面体保持面に対する繰り返しの付替え操作等により印面体の粘着力が弱くなった場合や、塵埃等の付着により粘着力が落ちてきた場合にはこれに水洗い・乾燥作業を施すことで簡単に本来の粘着力を発揮しうる状態に戻すことができるから、当該水洗い・乾燥作業を小まめに施しさえすれば粘着力による固定を長期に亘って繰り返し確保できる。【００１１】  請求項３に係るスタンプ装置は、請求項２記載のスタンプ装置に関し、印面体の多数種を有し、これら印面体のうちの一つ以上を把持部材の印面体保持面に固定しうるようにされたことを特徴とする。【００１２】  すなわち、請求項３に係るスタンプ装置によれば、印面体保持面が広い印面体保持部を備えた把持部材をセットにしたスタンプ装置を提供することは任意である。【００１３】  このようにした場合にあっ���は、広い印面体保持面には大きいサイズの印面体でも複数個の小さいサイズの印面体でもまたこれらの混在でも上記したような手指操作により容易に固定することができる（図３，４参照）。【００１４】  したがって、請求項３に係るスタンプ装置の使用者は、印面体保持面に対する印面体の固定位置を自分で自由に選択することが可能になるから、使用者（遊戯者）自身のアレンジによる印影を容易に得ることできる。この場合にあっては、印面体の固定位置や向きを微妙に変えたり、印面体をほかの種類の印面体に替えたりして遊戯（使用）をすることが可能であるから、味わいのある面白さを存分に楽しむことができるのみならず工夫次第で便利な使い方ができる。【００１５】  請求項４に係るスタンプ装置は、請求項２又は３記載のスタンプ装置に関し、印面体保持部が同部に保持された印面体を透視しうる透明部とされたことを特徴とする。【００１６】  したがって、請求項４に係るスタンプ装置は、捺印を行うときには透明部を介して捺印の位置を視認しつつ当該捺印ができるから位置ズレ等の失敗を回避できる。【００１７】  請求項５に係るスタンプ装置は、請求項２〜４いずれかに一つに記載のスタンプ装置に関し、印面体保持面には印面体の位置決め用目印（たとえば格子線）が設けられたことを特徴とする。【００１８】  したがって、請求項５に係るスタンプ装置は、その位置決め用目印を活用することで印面体保持面に対する印面体の固定位置をより正確にした状態に固定することが容易にできる。【００１９】  請求項６に係るスタンプ装置は、請求項２〜５いずれかに一つに記載のスタンプ装置に関し、印面体が透明であることを特徴とする。【００２０】  したがって、請求項６に係るスタンプ装置は、その印面体が裏返っていたり重なっていたりした所謂探し当て難い状況にある等の場合には、上記透明部分を介して、どのような印面をもつ印面体であるかの判別が容易に素早くでき、遊戯や整頓等のスピードアップができる。【００２１】  請求項７の係るスタンプ装置は、請求項２〜５いずれかに一つに記載のスタンプ装置に関し、印面体がその背面に印面を表わす表示部を備えたことを特徴とする。【００２２】  したがって、請求項７の係るスタンプ装置は、請求項６の係るスタンプ装置と同様に、その印面体が裏返っていたり重なっていたりした状況にある等の場合には、上記表示部を活用して、どのような印面をもつ印面体であるかの判別が容易に素早くでき、遊戯や整頓等のスピードアップができる。
【考案の効果】
【００２３】  本考案に係る印面体は、上記のような構成であるので、印面体保持面に粘着力を備え且つ水洗し乾燥させたときに本来の粘着力状態に回復する性質を備えた合成樹脂材料を以て印面体を一体成形する方法により提供できるから、これにより上記の生産・提供上の問題が一挙に解決できる。また、上記したように表面が滑らかな合成樹脂製の筆記具や小容器等のようなものを把持部材の代用品として使用できるから便利である。しかも上記滑らかな表面上であれば、所望の何処へでも印面体を手指操作により任意に付替えて使用（遊戯）できる。この場合、たとえば固定位置を少しだけずらして位置や方向を微妙に調節する等の必要が生じた場合には、上記付替え操作を施すことにより納得できる固定状態を容易且つ簡単に得ることができる。さらには、上記付替え操作の繰り返し等により印面体の粘着力が弱くなった場合等にはこれに水洗い・乾燥作業を施すことで簡単に粘着機能を発揮しうる元の状態に戻すことができるから、当該水洗い作業を小まめに施しさえすれば粘着力による固定状態を長期に亘って繰り返し確保することができる。【００２４】  また、本考案に係るスタンプ装置は、その印面体を把持部材における印面体保持面に手指を使って押し付ける単純な操作を施した時には当該印面体自身の粘着力により把持部材に容易に固定でき、また手指を使って引き剥がすという単純な操作により容易に取去できる。すなわち、把持部材の印面体保持面における所望の何処へでも印面体を手指作業により任意に付替えて使用できる。しかも、たとえば固定位置を少しだけずらして微妙に調節する等の必要が生じた場合には、上記付替え操作を施すことで容易に調節できる。さらには、印面体の粘着力が弱くなった場合等にはこれに水洗い・乾燥作業を施すことで簡単に粘着機能を発揮しうる状態に戻すことができるから、当該水洗い・乾燥作業を小まめに施しさえすれば粘着力による固定を長期に亘って繰り返し確保できる。【００２５】  また、本考案に係るスタンプ装置は、印面体の多数種を有し、これら印面体のうちの一つ以上を一つの把持部材の印面体保持面に固定しうるようにされたので、印面体保持面が広い印面体保持部を備えた把持部材をセットにした場合にあっては、広い印面体保持面には大きいサイズの印面体でも複数個の小さいサイズの印面体でもまたこれらの混在でも上記したような手指操作により固定して便利に利用できる。すなわち、印面体保持面に対する印面体の固定位置を自分で自由に選択することが可能になるから、印面体の固定位置や向きを微妙に変えたり、印面体をほかの種類の印面体に替えたりして遊戯（使用）することで、使用者（遊戯者）自身のアレンジによる印影を容易に得ることでき、味わいのある面白さを存分に楽しむことができるのみならず工夫次第で便利な使い方ができる。【００２６】  さらに、印面体保持部が同部に保持された印面体を透視しうる透明部とされた場合には、当該透明部を介して捺印の位置を視認しつつ調整することが可能であるから位置ズレ等の失敗を回避できるのみならず、印面体保持面には印面体の位置決め用目印（たとえば格子線）が設けられたものである場合には、当該位置決め用目印を活用することで印面体保持面に対���る印面体の固定位置をより正確にした状態に容易に固定することができる。【００２７】  加えて、印面体を透明にしたり、印面体の背面に印面を表わす表示部を備えたりして実施した場合には、印面体が裏返っていたり重なっていたりした所謂探し当て難い状況にある等の場合には、上記透明部分を介して若しくは印面体の背面に設けた印面を表わす表示部を活用して、どのような印面をもつ印面体であるかの判別が容易に素早くでき、遊戯や整頓等のスピードアップができる。
【考案を実施するための最良の形態】
【００２８】  本考案の実施の形態を図１〜図４に基づいて説明する。なお、図１は印面体１ａを示す拡大斜視図であり、図２は図１Ａ−Ａ線に沿う拡大断面図である。また、図３はスタンプ装置１０を示す全体の斜視図であり、図４は図３Ｂ−Ｂ線に沿う拡大断面図である。【００２９】  この実施の形態に係る印面体１ａは、印面体保持面１３に固定しうる粘着力を備え且つ水洗し乾燥させたときに本来の粘着力状態に回復する性質を備えた透明の合成樹脂材料を以て一体成形されたものであって、図１及図２に示すように、正面には凸の印面２（この場合「あ」の文字を示している）が一体に凸設され、背面には平面の粘着面３が設けられると共に、当該平面の一部分を「あ」の文字の形に凹ませて上記印面２を表わす凹状の表示部４にされている。つまり、印面体１は透明材料で一体成形されて、表示部４により印面２の種類を判別ができるようにしてある。【００３０】  この実施の形態に係るスタンプ装置１０は、複数種類の印面体１ａ〜１ｎと、把持部材１１とをセットにした構成で提供され、使用者が任意に、印面体１ａ〜１ｎの中から一つ若しくは二つ以上を選択して把持部材１１における印面体保持部１２の印面体保持面１３に、手指を使って押し付ける操作及び引き剥がす操作により任意に付け替えて使用できるようにされている。【００３１】  すなわち、各印面体１ａ〜１ｎは、把持部材１１の印面体保持面１３に固定しうる粘着力を備え且つ水洗し乾燥させたときに本来の粘着力状態に回復する性質を備えた合成樹脂材料により構成され、また把持部材１１は、上記押し付ける操作及び引き剥がす操作を可能にする硬質合成樹脂材料により構成されている。【００３２】  なお、印面体１ａ〜１ｎには、ポリプロピレン系、スチレン系、エチレン系、塩ビ系のポリマー（若しくはエラストマー）が採用され、剥がしてもベタつかず、跡が残らないものが好ましい。また、把持部材１１には、アクリル樹脂、スチレン樹脂等が採用される。これら印面体１ａ〜１ｎ、把持部材１１はいずれも透明のものが好ましいが、必ずしも透明でなくともよい。さらに、把持部材１１の印面体保持面１３には、図示しいていないが等間隔の格子線、等間隔のドット等の印面体位置決め用目印が設けられている。この目印は設けないことができる。また、印面体の背面には逆文字の印面（彫刻）２を表わす表示部４を設けないことができる。さらに、上記印面体保持面１３は、滑らかな平面で構成されているが、細かい凹凸面や曲面にしてもよく、また上記格子線、ドット等の印面体位置決め用目印は、凸状、凹状にし、これら凸状部、凹状部に嵌め合わせ可能な凹状部、凸状部を印面体に設けてもよい。【００３３】  すなわち、上記の実施の形態に係るスタンプ装置は、先ず所望の印面２をもつ印面体を選出し、これら選出した各印面体をたとえば図３及び図４に示すように、把持部材１１の印面体保持面１３に取付けて捺印前の準備を完了し、しかる後に、これを従前のスタンプ装置と同じように、別途用意したスタンプ台（図示せず）を利用して捺印すればよい。【００３４】  また、印面体は、絵文字、図柄、数字、記号等の印面をもつもので実施することができ、また、大きさを２倍サイズ、４倍サイズ等のよう���倍サイズにしたり、半サイズ、１／３サイズ等のように小さいサイズにしたり、形を三角、五角等多角形、円形あるいは花、動物、雲等のような異形にしたりすることができる。このようにすることは、幼児を飽きさせない、退屈させない等のためにも有効であるのみならず大きなあるいは小さな文字や図柄を含む所謂より複雑な印影を得るのに好都合である。
【図面の簡単な説明】
【００３５】
【図１】印面体を示す拡大斜視図である。
【図２】図１Ａ−Ａ線に沿う拡大断面図である。
【図３】スタンプ装置を示す全体の斜視図である。
【図４】図３Ｂ−Ｂ線に沿う拡大断面図である。
【符号の説明】
【００３６】  １ａ〜１ｎ  印面体
２  凸の印面
３  平面の粘着面
４  凹状の表示部
１０  スタンプ装置
１１  把持部材
１２  印面体保持部
１３  印面体保持面
【図１】
0003131310.tif 000003
【図２】
0003131310.tif 000004
【図３】
0003131310.tif 000005
【図４】
0003131310.tif 000006
【手続補正書】
【提出日】平成19年1月19日(2007.1.19)
【手続補正１】
【補正対象書類名】実用新案登録請求の範囲
【補正対象項目名】請求項１
【補正方法】変更
【補正の内容】
【請求項１】
印面体保持面に固定しうる粘着力を備え且つ水洗し乾燥させたときに本来の粘着力状態に回復する性質を備えた合成樹脂材料による一体成形により構成された印面及び粘着面を備えたことを特徴とする印面体。
【手続補正２】
【補正対象書類名】明細書
【補正対象項目名】０００７
【補正方法】変更
【補正の内容】
【０００７】  上記目的を達成するために、請求項１に係る印面体は、印面体保持面に固定しうる粘着力を備え且つ水洗し乾燥させたときに本来の粘着力状態に回復する性質を備えた合成樹脂材料による一体成形により構成された印面及び粘着面を備えたことを特徴とする。